(57)【要約】【課題】予め登録した音声情報がなくても、通話相手の特定を行える不明人物認識機能付き電話機を提供する。【解決手段】通話相手が不明な場合に、予め音声情報を登録してなくても前記通話相手を特定する不明人物認識機能付き電話機１において、通話相手が発するワード、音声スペクトル及びエネルギーパラメータをデータ記憶装置５に格納されている通話に用いられるワード、音声スペクトル及びエネルギーパラメータとを比較して、これとの一致性の確からしさで通話相手を特定する。【選択図】      図１
2006091173.tif 000002
【特許請求の範囲】
【請求項１】
通話相手が不明な場合に、予め音声情報を登録してなくても前記通話相手を特定する不明人物認識機能付き電話機において、
電話回線通信網を介して送信されてくる前記通話相手の音声信号を音声情報として出力する音声入力装置と、
前記音声入力装置から出力された音声情報を音声スペクトルとエネルギーパラメータに変換するコード変換装置と、
複数の個人情報、通話に用いられる複数のワード、複数の音声スペクトル及びエネルギーパラメータを格納するデータ記憶装置と、
前記コード変換装置で変換された音声スペクトル及びエネルギーパラメータを前記データ記憶装置に格納されている音声スペクトル及びエネルギーパラメータと照合して、該当する音声情報と個人情報を得るコード比較装置と、
前記コード変換装置で得られた音声情報から発声している発声ワードに対応するワードを抽出し、この抽出されたワードとこのワードに対応する個人情報を出力する発声ワード抽出装置と、
前記発声ワード抽出装置から出力された個人情報に対応する発声ワードが前記データ記憶装置に格納されている前記発声ワードと同じ発声をするワードを比較し、前記発声ワードが前記ワードの中に存在する場合には、前記データ記憶装置に格納されている該当する発生ワードの確率を取得し、個人情報と共に表示装置に表示して、前記通話相手を特定すると共に、前記データ記憶装置の個人情報の発声ワードを更新し、存在しない場合には、前記表示装置に個人情報だけを表示させ前記データ記憶装置の更新はしない発声ワード保有者特定装置と、からなることを特徴とする不明人物認識機能付き電話機。
【発明の詳細な説明】
【技術分野】
【０００１】
本発明は、通話相手が不明な場合に、通話相手の音声情報を予め登録することなくその通話相手を特定し、他人になりすますことを防止する不明人物認識機能付き電話機に関する。
【背景技術】
【０００２】
数多くの用途において不明人物の同一性を確認する必要が生じている。
特許文献１には、登録された音声サンプルをディジタル化するＡ／Ｄ変換器と、このディジタル化された音声情報を線形予測符号化解析をするＬＰＣ解析回路と、登録された音声情報の始めと終りを検出し、高速上部方向適応と低速下部方向適応法を使用してＲＭＳエネルギー発生レベルパラメータを見積もる発生検出回路と、前記ＬＰＣ解析回路から出力されるＬＰＣデータの各フレームから複数のパラメータを計算して、各フレームにつきＬＰＣデータを線形変換して複数の特徴を導き出す特徴検出回路と、前記特徴抽出回路により計算された複数の特徴を格納する基準テンプレートと、からなる話者確認システムが記載されている。
【特許文献１】特許第３０８０３８８号
【発明の開示】
【発明が解決しようとする課題】
【０００３】
しかしながら、予め不明人物を特定するための音声情報を登録しておく必要があり、登録がない場合には、不明人物の特定ができなかった。
【０００４】
そこで、本発明は、前述の課題に鑑みて提案されるものであって、予め登録した音声情報がなくても、通話相手の特定を行える不明人物認識機能付き電話機を提供することを目的とする。
【課題を解決するための手段】
【０００５】
本発明は、通話相手が不明な場合に、予め音声情報を登録してなくても前記通話相手を特定する不明人物認識機能付き電話機において、電話回線通信網を介して送信されてくる前記通話相手の音声信号を音声情報として出力する音声入力装置と、前記音声入力装置から出力された音声情報を音声スペクトルとエネルギーパラメータに変換するコード変換装置と、複数の個人情報、通話に用いられる複数のワード、複数の音声スペクトル及びエネルギーパラメータを格納するデータ記憶装置と、前記コード変換装置で変換された音声スペクトル及びエネルギーパラメータを前記データ記憶装置に格納されている音声スペクトル及びエネルギーパラメータと照合して、該当する音声情報と個人情報を得るコード比較装置と、前記コード変換装置で得られた音声情報から発声している発声ワードに対応するワードを抽出し、この抽出されたワードとこのワードに対応する個人情報を出力する発声ワード抽出装置と、前記発声ワード抽出装置から出力された個人情報に対応する発声ワードが前記データ記憶装置に格納されている前記発声ワードと同じ発声をするワードを比較し、前記発声ワードが前記ワードの中に存在する場合には、前記データ記憶装置に格納されている該当する発生ワードの確率を取得し、個人情報と共に表示装置に表示して、前記通話相手を特定すると共に、前記データ記憶装置の個人情報の発声ワードを更新し、存在しない場合には、前記表示装置に個人情報だけを表示させ前記データ記憶装置の更新はしない発声ワード保有者特定装置と、からなることを特徴とする不明人物認識機能付き電話機を提供する。
【発明の効果】
【０００６】
本発明によれば、予め登録した音声情報がなくても、通話相手が不明な場合にも、特定を行える不明人物認識機能付き電話機を提供することができる。
【発明を実施するための最良の形態】
【０００７】
以下、本発明に係る不明人物認識機能付き電話機の実施の形態について、図１乃至図３を参照して詳細に説明する。
図１は、本発明の実施の形態における不明人物認識機能付き電話機を示すブロック図である。図２は、本発明の実施の形態における不明人物認識機能付き電話機のフローチャートを示す図である。図３は、個人情報と該当者である確率が表示された様子を示す図である。
【０００８】
図１に示すように、本発明の実施の形態における不明人物認識機能付き電話機１は、電話回線通信網２から送信される不明な通話相手の音声信号を受信して音声情報として出力する音声入力装置３と、この音声入力装置３から出力された音声情報を音声スペクトルとエネルギーパラメータに変換するコード変換装置４と、名前等の個人情報、発声ワード情報、音声スペクトル及びエネルギーパラメータを格納するデータ記憶装置５と、コード変換装置４で変換された音声スペクトル及びとエネルギーパラメータをデータ記憶装置５に格納されている音声スペクトル及びエネルギーパラメータと照合して、該当する音声情報と個人情報を得るコード比較装置６と、コード変換装置４で得られた音声情報から発声ワードに対応するワードを解析し、この解析されたワードとこのワードに対応する個人情報を出力する発声ワード抽出装置７と、発声ワード抽出装置７から出力された個人情報に対応する発声ワードとデータ記憶装置５に格納されているワードとを比較して、前記発声ワードがデータ記憶装置５に格納されているワードの中に存在した場合には、データ記憶装置５に格納されている該当する発生ワードの確率を取得し、個人情報と共に表示装置９に表示させて不明な通話相手を特定すると共にデータ記憶装置５の個人情報の発声ワードを更新し、存在しない場合には、表示装置９に個人情報だけを表示させデータ記憶装置５の更新はしない発声ワード保有者特定装置８と、からなる。
【０００９】
次に、その動作について図２に示すフローチャートを用いて説明する。
電話回線通信網２から送信される音声信号を音声入力装置３で入力して音声情報として出力し（ステップＳ１）、コード変換装置４により音声入力装置３から出力された音声情報を音声スペクトルとエネルギーパラメータに変換する（ステップＳ２）。
【００１０】
次に、コード比較装置６で、コード変換装置４により変換された音声スペクトルとエネルギーパラメータをデータ記憶装置５に格納されている音声スペクトルとエネルギーパラメータと照合する（ステップＳ３）。その結果が予め定められているスレッシュド以上であるかどうかを判断する（ステップＳ４）。スレッシュルド以上である場合に、コード変換装置４で該当する個人情報を取得する（ステップＳ５）。
【００１１】
スレッシュルド未満である場合に、該当者しないとしてフローを停止する（ステップ６）。発声ワード抽出装置７により、コード変換装置４で得られた個人情報の音声からワードを解析し、個人情報に対応するワード抽出を行う（ステップＳ７）。発声ワード保有者特定装置８により、抽出されたワードと個人情報とからデータ記憶装置５に格納されている前記と発声ワードと同じ発声をするワードを比較し（ステップＳ８）、そのワードの中に前記した発声ワードが存在するかを調べる（ステップＳ９）。
【００１２】
発声ワードが存在した場合には、発声ワードに対応する該当者の確率を算出する（ステップＳ１０）。該当者である場合には、個人情報と発声ワードに対応する該当者の確率を、該当者でない場合には、個人情報のみを表示装置９に表示する（ステップＳ１１）。図３には、個人情報と該当者である確率が表示装置９に表示された様子を示す。こうして、表示装置９に表示された該当者の候補を確認することにより不明な通話相手を高い確率で特定することができる。
【００１３】
以上のように、本発明の実施の形態によれば、電話回線通信網２から送信される不明な通話相手の音声信号を受信して音声情報として出力する音声入力装置３と、この音声入力装置３から出力された音声情報を音声スペクトルとエネルギーパラメータに変換するコード変換装置４と、名前等の個人情報、発声ワード情報、音声スペクトル及びエネルギーパラメータを格納するデータ記憶装置５と、コード変換装置４で変換された音声スペクトル及びエネルギーパラメータをデータ記憶装置５に格納されている音声スペクトル及びエネルギーパラメータと照合して、該当する音声情報と個人情報を得るコード比較装置６と、コード変換装置４で得られた音声情報から発声ワードに対応するワードを解析し、この解析されたワードとこのワードに対応する個人情報を出力する発声ワード抽出装置７と、発声ワード抽出装置７から出力された個人情報に対応する発声ワードとデータ記憶装置５に格納されているワードとを比較して、前記発声ワードがデータ記憶装置５に格納されているワードの中に存在した場合には、データ記憶装置５に格納されている該当する発生ワードの確率を取得し、個人情報と共に表示装置９に表示させて不明な通話相手を特定すると共にデータ記憶装置５の個人情報の発声ワードを更新し、存在しない場合には、表示装置９に個人情報だけを表示させデータ記憶装置５の更新はしない発声ワード保有者特定装置８と、からなるので、予め登録した音声情報がなくても、通話相手の特定を行うことができる。
【図面の簡単な説明】
【００１４】
【図１】本発明の実施の形態における不明人物認識機能付き電話機を示すブロック図である。
【図２】本発明の実施の形態における不明人物認識機能付き電話機のフローチャートを示す図である。
【図３】個人情報と該当者である確率が表示された様子を示す図である。
【符号の説明】
【００１５】
１…不明人物認識機能付き電話機、２…電話回線通信網、３…音声入力装置、４…コード変換装置、５…データ記憶装置、６…コード比較装置、７…発声ワード抽出装置、８…発声ワード保有者特定装置、９…表示装置
【図１】
2006091173.tif 000003
【図２】
2006091173.tif 000004
【図３】
2006091173.tif 000005